(57)【要約】【課題】  高速で高品質なデータ通信を可能にすること。【解決手段】  ＰＨＳ用携帯端末装置１０１と複数の基地局１０４、１０５とを接続し、ＰＨＳ用携帯端末装置１０１から各基地局１０４、１０５に対して同一のデータを送信し、各基地局１０４、１０５で受信したデータをサーバ１０６でまとめて受信し、サーバ１０６で受信したデータのうちの正常な一のデータを、インターネット１０７、Ｗｅｂサーバ１０８を介して、相手先コンピュータ１０９に送信する。【選択図】    図１
2006067609.tif 000002
【特許請求の範囲】
【請求項１】
ＰＨＳ用携帯端末装置と基地局との間で無線通信を行うことにより、前記ＰＨＳ用携帯端末装置から所望の相手先にデータを送信するようにしたＰＨＳにおいて、
前記ＰＨＳ用携帯端末装置が一の基地局から他の基地局にハンドーオーバするに際して、前記ＰＨＳ用携帯端末装置は、ハンドオーバの必要性が生じたと判断したときに、前記一の基地局に送信するデータのパケット長を短くするようにしたことを特徴とするＰＨＳにおけるデータ通信方法。
【請求項２】
ＰＨＳ用携帯端末装置と基地局との間で無線通信を行うことにより、前記ＰＨＳ用携帯端末装置から所望の相手先にデータを送信するようにしたＰＨＳ用携帯端末装置において、
パケット単位でデータを送信する通信手段と、
ハンドオーバの必要性を判断するハンドオーバ判断手段と、
ハンドオーバ処理を行うハンドオーバ処理手段とを有し、
前記ハンドオーバ判断手段によってハンドオーバの必要性が生じたと判断したとき、前記通信手段は、前記ハンドオーバ処理手段がハンドオーバ処理を行う前に、データのパケット長を短くして前記基地局に送信することを特徴とするＰＨＳ用携帯端末装置。
【発明の詳細な説明】
【技術分野】
【０００１】
本発明は、ＰＨＳ（Personal Handyphone System）におけるデータ通信方法及びＰＨＳ用携帯端末装置に関する。
【背景技術】
【０００２】
従来から、ＰＨＳにおいては、音声通信のみならずデータ通信（例えばＰＩＡＦＳ）が行われている。ＰＨＳはＰＨＳ用携帯端末装置が移動する移動体通信システムであるため、ＰＨＳ用携帯端末装置の移動にともなう通信品質を維持するために、高速ハンドオーバという通信方法が用いられている。これは、ＰＨＳ用携帯端末装置が、ある基地局を介してネットワークに接続されている状態（以下、この通信経路をリンク１と称す。）で、ＰＨＳ用携帯端末装置が移動等に伴う通信品質の劣化を検出し、通信不能になる前に、リンク１を介して通信中の状態で、他の基地局を介した通信経路（以下、リンク２と称す。）を確立した後、目的とする通信経路を瞬時にリンク１からリンク２に切換える方法である。
【０００３】
これにより、目的とする通信の途絶はリンクを切換える瞬間のみとなり、特に音声通話においては、通話者は瞬間的な途絶の影響を殆ど受けないという利点がある。
【発明の開示】
【発明が解決しようとする課題】
【０００４】
しかしながら、データ通信においては、高速ハンドオーバを適用しても、データの送受信途中にリンクを切換えると、瞬間的にはデータの欠落が生じてしまうことになり、高信頼性が要求されるデータ通信には悪影響を及ぼしてしまう。
【０００５】
また、電波伝播状態の変化に伴い、２つのリンクには各々独立に品質の変化が起こり、必ずしもどちらかのリンクが優れているという訳ではなく、リンクを切換えることにより、更に品質が劣化してしまうようなことも起こり得る。
【０００６】
更に、通信そのものは１つのリンクを使用して実施するため、このリンクに瞬時的な干渉やフェージングが発生すると、そのままデータの誤りに結びついてしまう。
【０００７】
これらの問題を解決する方法として、上位プロトコルにより再送制御を行うようにすることも考えられる。しかしながら、この方法ではデータ誤りやデータ欠落の復旧が可能ではあるが、再送を行うためにスループットが低下してしまい、高速な通信が困難になるという問題があった。
【０００８】
本発明は、高速で高品質なデータ通信を可能にすることを課題としている。また、本発明は、ハンドオーバが発生した場合でも高速で高品質なデータ通信を可能にすることを課題としている。また、本発明は、通信状態が劣化した場合でも高速で高品質なデータ通信を可能にすることを目的としている。
【課題を解決するための手段】
【０００９】
本発明によれば、ＰＨＳ用携帯端末装置と基地局との間で無線通信を行うことにより、前記ＰＨＳ用携帯端末装置から所望の相手先にデータを送信するようにしたＰＨＳにおいて、前記ＰＨＳ用携帯端末装置を複数の前記基地局に接続し、前記ＰＨＳ用携帯端末装置から前記各基地局に対して同一のデータを送信し、前記各基地局で受信したデータをＰＨＳ用接続手段で受信し、前記各基地局から受信したデータの中の正常な一のデータを前記相手先に送信するようにしたことを特徴とするＰＨＳにおけるデータ通信方法が提供される。ＰＨＳ用携帯端末装置を複数の基地局に接続し、前記ＰＨＳ用携帯端末装置から前記各基地局に対して同一のデータを送信し、前記各基地局で受信したデータをＰＨＳ用接続手段で受信し、前記各基地局から受信したデータの中の正常な一のデータを前記相手先に送信する。
【００１０】
ここで、前記各基地局から前記ＰＨＳ用接続手段へのデータ伝送は、無線フレーム単位又は複数の無線フレームをまとめたユニット単位で行うようにしてもよい。
【００１１】
また、前記ＰＨＳ用携帯端末装置でハンドオーバの必要性が生じたと判断したときに、ハンドオーバ処理を行う前に前記ＰＨＳ用携帯端末装置を複数の前記基地局に接続し、前記ＰＨＳ用携帯端末装置から前記接続した複数の基地局に同一のデータを送信するようにしてもよい。
【００１２】
さらに、前記ＰＨＳ用携帯端末装置で通信状態の劣化を検出したとき、前記ＰＨＳ用携帯端末装置を複数の前記基地局に接続し、前記ＰＨＳ用携帯端末装置から前記接続した複数の基地局に同一のデータを送信するようにしてもよい。
【００１３】
また、本発明によれば、ＰＨＳ用携帯端末装置と基地局との間で無線通信を行うことにより、前記ＰＨＳ用携帯端末装置から所望の相手先にデータを送信するようにしたＰＨＳにおいて、前記ＰＨＳ用携帯端末装置が一の基地局から他の基地局にハンドーオーバするに際して、前記ＰＨＳ用携帯端末装置は、ハンドオーバの必要性が生じたと判断したときに、前記一の基地局に送信するデータのパケット長を短くするようにしたことを特徴とするＰＨＳにおけるデータ通信方法が提供される。ＰＨＳ用携帯端末装置が一の基地局から他の基地局にハンドーオーバするに際して、前記ＰＨＳ用携帯端末装置は、ハンドオーバの必要性が生じたと判断したときに、一の基地局に送信するデータのパケット長を短くして送信する。
【００１４】
また、本発明によれば、ＰＨＳ用携帯端末装置と基地局との間で無線通信を行うことにより、前記ＰＨＳ用携帯端末装置から所望の相手先にデータを送信するようにしたＰＨＳにおいて、前記ＰＨＳ用携帯端末装置から一の基地局にデータを送信し、前記一の基地局で受信したデータをＰＨＳ用接続手段に送信し、前記ＰＨＳ用接続手段で受信したデータを前記相手先に送信し、前記ＰＨＳ用携帯端末装置が前記一の基地局から他の基地局にハンドオーバするに際して、前記一の基地局で受信したデータが全て前記ＰＨＳ用接続手段に送信された後、ハンドオーバするようにしたことを特徴とするＰＨＳにおけるデータ通信方法が提供される。ＰＨＳ用携帯端末装置から一の基地局にデータを送信し、前記一の基地局で受信したデータをＰＨＳ用接続手段に送信し、前記ＰＨＳ用接続手段で受信したデータを相手先に送信し、前記ＰＨＳ用携帯端末装置が前記一の基地局から他の基地局にハンドオーバするに際して、前記一の基地局で受信したデータが全て前記ＰＨＳ用接続手段に送信された後、ハンドオーバする。
【００１５】
また、本発明によれば、基地局との間で無線通信を行うことにより所望の相手先にデータを送信するようにしたＰＨＳ用携帯端末装置において、複数の前記基地局に接続する基地局接続手段と、前記各基地局に対して同一のデータを送信する通信手段とを備えて成ることを特徴とするＰＨＳ用携帯端末装置が提供される。基地局接続手段は、複数の前記基地局に接続する。通信手段は、前記各基地局に対して同一のデータを送信する。
【００１６】
ここで、ハンドオーバの必要性を判断するハンドオーバ判断手段と、ハンドオーバ処理を行うハンドオーバ処理手段とを有し、前記ハンドオーバ判断手段によってハンドオーバの必要性が生じたと判断したとき、前記基地局接続手段は、前記ハンドオーバ処理手段がハンドオーバ処理を行う前に、複数の前記基地局に接続するように構成してもよい。
【００１７】
また、通信状態の劣化を検出する通信状態検出手段を有し、前記通信状態検出手段によって通信状態が劣化したと検出したとき、前記基地局接続手段は複数の前記基地局に接続するように構成してもよい。
【００１８】
また、本発明によれば、ＰＨＳ用携帯端末装置と基地局との間で無線通信を行うことにより、前記ＰＨＳ用携帯端末装置から所望の相手先にデータを送信するようにしたＰＨＳ用携帯端末装置において、パケット単位でデータを送信する通信手段と、ハンドオーバの必要性を判断するハンドオーバ判断手段と、ハンドオーバ処理を行うハンドオーバ処理手段とを有し、前記ハンドオーバ判断手段によってハンドオーバの必要性が生じたと判断したとき、前記通信手段は、前記ハンドオーバ処理手段がハンドオーバ処理を行う前に、データのパケット長を短くして前記基地局に送信することを特徴とするＰＨＳ用携帯端末装置が提供される。ハンドオーバ判断手段によってハンドオーバの必要性が生じたと判断したとき、通信手段は、前記ハンドオーバ処理手段がハンドオーバ処理を行う前に、データ
のパケット長を短くして前記基地局に送信する。
【００１９】
また、本発明によれば、基地局との間で無線通信を行うことにより所望の相手先にデータを送信するようにしたＰＨＳ用携帯端末装置において、接続した前記基地局に対してデータを送信する通信手段と、ハンドオーバの必要性を判断するハンドオーバ判断手段と、ハンドオーバ処理を行うハンドオーバ処理手段と、前記通信手段のデータ送信動作を制御するデータ送信制御手段と、前記接続した基地局に送信したデータが全てＰＨＳ用接続手段に送信されたことを検出するデータ送信完了検出手段とを備え、前記データ送信制御手段は、前記ハンドオーバ判断手段によってハンドオーバの必要性が生じたと判断したとき前記通信手段がデータ送信を停止するように制御し、前記ハンドオーバ処理手段は、前記データ送信完了検出手段によって前記基地局に送信したデータが全て前記ＰＨＳ用接続手段に送信されたことを検出した後にハンドオーバ処理を行い、前記データ送信制御手段は、前記ハンドオーバ処理手段によるハンドオーバ処理が完了した後に、前記通信手段がデータ送信を開始するように制御することを特徴とするＰＨＳ用携帯端末装置が提供される。データ送信制御手段は、ハンドオーバ判断手段によってハンドオーバの必要性が生じたと判断したとき通信手段がデータ送信を停止するように制御し、前記ハンドオーバ処理手段は、データ送信完了検出手段によって基地局に送信したデータが全てＰＨＳ用接続手段に送信されたことを検出した後にハンドオーバ処理を行い、前記データ送信制御手段は、前記ハンドオーバ処理手段によるハンドオーバ処理が完了した後に、前記通信手段がデータ送信を開始するように制御する。
【発明の効果】
【００２０】
本発明に係るＰＨＳにおけるデータ通信方法およびＰＨＳ用通信端末装置によれば、高速で高品質なデータ通信が可能になる。また、ハンドオーバが発生した場合や、通信状態が劣化した場合にも、高速で高品質なデータ通信が可能になる。
【発明を実施するための最良の形態】
【００２１】
以下、添付図面を参照して、本発明の実施の形態に係るＰＨＳにおけるデータ通信方法及びＰＨＳ用携帯端末装置について説明する。
【００２２】
図１は、本発明の実施の形態に使用するＰＨＳのシステム構成図である。実際のシステムでは複数のＰＨＳ用携帯端末装置及び複数の基地局が使用されるが、図１では、説明を簡略化するために、１つのＰＨＳ用携帯端末装置（ＰＳ）１０１と２つの基地局１０４（ＣＳ１）、１０５（ＣＳ２）を示している。尚、図示しない複数のＰＨＳ用携帯端末装置はいずれもＰＨＳ用携帯端末装置１０１と同様の構成のものが使用され又、図示しない複数の基地局についても基地局１０４、１０５と同様のものが使用される。
【００２３】
図１において、ＰＨＳ用携帯端末装置１０１は、アンテナを介して無線により音声やデータを送受信する通信手段としての無線部１０２と、各種制御を行う制御手段としての制御部１０３とを備えている。制御部１０３は、送受信データ等を記憶するＲＡＭ（random Access Memory）やプログラムを記憶したＲＯＭ（Read Only Memory）（いずれも図示せず）から成るＰＨＳ用携帯端末装置１０１用の記憶手段、及び、前記ＲＯＭに記憶されたプログラムによって動作する中央処理装置（ＣＰＵ）（図示せず）を有し、ハンドオーバ処理や選択した通信相手への発呼制御等の各種制御を行う。また、制御部１０３は、周辺基地局の検索、ＲＳＳＩ値やＦＥＲ値の測定等の処理も行う。
【００２４】
ここで、無線部１０２と制御部１０３は、基地局に呼接続する基地局接続手段、接続した基地局にデータを送信する通信手段、ハンドオーバの必要性を判断するハンドオーバ判断手段、ハンドオーバ処理を行うハンドオーバ処理手段、通信状態の劣化を検出する通信状態検出手段、前記通信手段のデータ送信動作を制御するデータ送信制御手段、基地局に送信したデータが全て該基地局からＰＨＳ接続手段に送信されたことを検出するデータ送信完了検出手段を構成している。
【００２５】
一方、基地局１０４は、アンテナを介して無線により音声やデータを送受信する無線部や各種通信制御を行う制御部（いずれも図示せず）を備えている。前記制御部は、データ等を記憶するＲＡＭ（random Access Memory）やプログラムを記憶したＲＯＭ（Read Only Memory）（いずれも図示せず）から成る基地局１０４用の記憶手段及び前記ＲＯＭに記憶されたプログラムによって動作する中央処理装置（ＣＰＵ）（図示せず）を有している。基地局１０４は、サーバ１０６を介して、通信網（例えば、インターネット１０７）に接続されている。インターネット１０７には、Ｗｅｂサーバ１０９を介して、ＰＨＳ用携帯端末装置１０１がデータを送信する所望の相手先であるコンピュータ１０９が接続されている。
【００２６】
基地局１０５は、基地局１０４と同一の構成であり、アンテナを介して無線により音声やデータを送受信する無線部や各種通信制御を行う制御部（いずれも図示せず）を備え、サーバ１０６に接続されている。
【００２７】
ＰＨＳ用接続手段としてのサーバ１０６は、基地局１０４、１０５を通信網に接続するためのＰＨＳ用接続装置を構成するもので、高速ハンドオーバによる経路の違いを通信相手に対して隠蔽する装置であり、音声通信を行う際には上位交換機としての機能を有し、データ通信を行う際には通信サーバとしての機能を有する。また、サーバ１０６は、場合によっては、ＰＨＳ用携帯端末装置１０１の通信相手装置として機能する。
【００２８】
ＰＨＳ用携帯端末装置１０１と各基地局１０４、１０５間は、例えば、ＴＤＭＡ（Time Division Multiple Access）を用いたデジタル通信によって音声やデータの通信が行われ、相手先コンピュータ１０９との間でデータの送受信を行うことができるように構成されている。
【００２９】
図２は、本発明の第１の実施の形態の概要を説明するための図で、ＰＨＳ用携帯端末装置１０１が基地局１０４及び基地局１０５の双方に対して略同時に同一のデータを送信する場合に、ＰＨＳ用携帯端末装置１０１、基地局１０４、１０５、サーバ１０６間で送信されるパケットデータの流れを示している。尚、「Ｈａ」はＰＨＳ用携帯端末装置１０１と基地局１０４、１０５間のローカルなヘッダを示し、「Ｈｂ」は基地局１０４、１０５とサーバ１０６間のローカルなヘッダを示しており又、♯１〜♯３はパケットの順序を表す順序番号である。
【００３０】
図１及び図２を用いて、本第１の実施の形態の概要を説明すると、先ず、ＰＨＳ用携帯端末装置１０１が基地局１０４及び基地局１０５の双方に対して、略同時に同一のデータをパケットで送信した場合を考える。
【００３１】
ＰＨＳ用携帯端末装置１０１と基地局１０４及び基地局１０５間のデータ送信が正常に行われている場合には、図２（ａ）に示すように、同一のパケットデータ（♯１）が基地局１０４、１０５の双方で受信され、同一のパケットデータ（♯１）が基地局１０４、１０５の双方からサーバ１０６に送信され、サーバ１０６は、各基地局１０４、１０５から受信したデータの中の正常な一のパケットデータ（♯１）を選択して、インターネット１０７を介して相手先コンピュータ１０９に送信する。
【００３２】
ＰＨＳ用携帯端末装置１０１と基地局１０４間のデータ送信が正常に行われ、且つ、ＰＨＳ用携帯端末装置１０１と基地局１０５間のデータ送信に異常がある場合（例えばパケットデータ（♯２）が欠落した場合）には、図２（ｂ）に示すように、基地局１０４で受信されたパケットデータ（♯２）がサーバ１０６に送信され、該データがサーバ１０６からインターネット１０７を介して相手先コンピュータ１０９に送信される。
【００３３】
一方、ＰＨＳ用携帯端末装置１０１と基地局１０５間のデータ送信が正常に行われ、且つ、ＰＨＳ用携帯端末装置１０１と基地局１０４間のデータ送信に異常がある場合（例えばパケットデータ（♯３）が欠落した場合）には、図２（ｃ）に示すように、基地局１０５で受信されたパケットデータ（♯３）がサーバ１０６に送信され、該データがサーバ１０６からインターネット１０７を介して相手先コンピュータ１０９に送信される。
【００３４】
図３〜図６は、本発明の第１の実施の形態において、サーバ１０６の処理を示すフローチャートで、サーバ１０６の前記ＲＯＭに記憶されたプログラムを前記ＣＰＵで処理することにより実行される。
【００３５】
尚、図３〜図６は、ＰＨＳ用携帯端末装置１０１から基地局１０４を経由してサーバ１０６に至る経路（リンク♯１）で、サーバ１０６がデータを受信した場合の処理を示している。ＰＨＳ用携帯端末装置１０１から基地局１０５を経由してサーバ１０６に至る経路（リンク♯２）でサーバ１０６がデータを受信した場合の処理は、図３〜図６におけるＮＳ１をＮＳ２と読換えればよいため、その処理に関する説明は省略する。
【００３６】
また、サーバ１０６で受信した処理対象のパケットの順序番号を「ＲＳ」、サーバ１０６が基地局１０４から次に受信することを期待するパケットの順序番号を「ＮＳ１」、サーバ１０６が基地局１０５から次に受信することを期待するパケットの順序番号を「ＮＳ２」、サーバ１０６の処理過程において次に上位プロトコルに受信通知すべきパケットの順序番号を「ＳＳ」とし、初期状態では、ＲＳ＝ＳＳ＝ＮＳ１＝ＮＳ２＝０とする。
【００３７】
また、ＰＨＳ用携帯端末装置１０１では、順序番号「０」のパケットから送信開始するものとする。ＰＨＳ用携帯端末装置１０１は、基地局１０４及び基地局１０５のうちの一方の基地局にのみ接続されている場合（１リンク状態）には、該接続された基地局にのみ順序番号を付与したパケットを送信し、他方の基地局にも接続（２リンク状態）され次第、同一のパケットを両基地局１０４、１０５に送信するものとする。
【００３８】
また、サーバ１０６では、前記１リンク状態では常にＮＳ１とＮＳ２を同時に更新することにより、一方のリンク上におけるパケット紛失を両リンクでの紛失として処理する。両リンクで同一パケットを紛失した場合には、次のパケットを上位プロトコルに受信通知する。再送が必要な場合には、上位に再送制御を行うプロトコル（例えば、ＬＡＰＢ（Link Access Procedure-Balanced、平衡型リンク・アクセス手順））を実装し、前記上位プロトコルにおいてパケット紛失を検出し再送を行う。
【００３９】
また、パケットの順序番号はモジュロＮの変数を使用し、２つのリンク♯１、♯２間に遅延差があった場合でも、後述する処理フローで順序番号の大小比較が可能なように、十分に大きな繰り返し周期をもつようにＮの値を設定する。順序番号の大小比較は、前記繰り返し周期を考慮して行う。
【００４０】
以下、図１〜図６を用いて、本発明の第１の実施の形態について詳細に説明する。先ず、ＰＨＳ用携帯端末装置１０１は、基地局接続手段により複数の基地局（基地局１０４及び基地局１０５）に呼接続し、各基地局１０４、１０５に対して、同一のデータを送信開始する。
【００４１】
サーバ１０６は、ＰＨＳ用携帯端末装置１０１からのパケットをリンク♯１を介して基地局１０４から受信すると、ＲＳとＳＳの大小関係を比較する（図３のステップＳ３０１）。
【００４２】
ＳＳがＲＳよりも大きいとき、既に同一順序番号のパケットが他方のリンク♯２を介してサーバ１０６が受信し、受信通知済みの場合である。したがって、この場合には、ＮＳ１＝（ＲＳ＋１）として（ステップＳ３０２）、受信したパケットを廃棄処理する（ステップＳ３０３）。
【００４３】
ステップＳ３０１において、ＳＳとＲＳが等しいときは、サーバ１０６が、リンク♯２よりもリンク♯１を介して先にパケットを受信した場合である。この場合、ＮＳ１＝（ＲＳ＋１）とし（ステップＳ３０４）、又、ＳＳ＝（ＳＳ＋１）として（ステップＳ３０５）、受信通知を行う（ステップＳ３０６）。その後、受信通知待ちキュー取りだし処理を行う（ステップＳ３０７）。
【００４４】
受信通知待ちキュー取り出し処理（ステップＳ３０７）では、図４に示す処理が行われる。即ち、先ず、受信通知待ちキューのＲＳを検索し（ステップＳ４０１）、ＳＳと同一のＲＳが存在すると判断した場合には、ＳＳ＝（ＳＳ＋１）とし（ステップＳ４０２）、次に、受信通知を行う（ステップＳ４０３）。以後、ステップＳ４０１〜Ｓ４０３を繰り返し、ステップＳ４０１において、ＳＳと同一のＲＳが存在しないと判断した場合には処理を終了する。
【００４５】
次に、ステップＳ３０１において、ＳＳがＲＳよりも小さいときは、リンク♯１において、ＳＳの順序番号を有するパケットが紛失した場合である。この場合、ＮＳ１＝（ＲＳ＋１）として（ステップＳ３０８）、受信通知待ちキュー登録処理を行う（ステップＳ３０９）。
【００４６】
受信通知待ちキュー登録処理（ステップＳ３０９）では、図５に示す処理が行われる。即ち、先ず、受信通知待ちキューのＲＳを検索し（ステップＳ５０１）、同一のＲＳが存在しないと判断した場合には受信待ちキューに登録し（ステップＳ５０２）、同一のＲＳが存在すると判断した場合には受信パケットを廃棄処理する（ステップＳ５０３）。
【００４７】
受信通知待ちキュー登録処理（ステップＳ３０９）が完了した後、ＮＳ２とＳＳの大小関係を比較する（ステップＳ３１０）。ステップＳ３１０において、ＮＳ２がＳＳ以下と判断した場合には、リンク♯１で紛失したパケットがリンク♯２で受信される可能性が残されており、処理を終了する。一方、ステップＳ３１０において、ＮＳ２がＳＳより大きいと判断した場合には、リンク♯１で紛失したパケットは、リンク♯２でも紛失しているため、両リンク紛失処理を行う（ステップＳ３１１）。
【００４８】
両リンク紛失処理（ステップＳ３１１）では、図６に示す処理が行われる。即ち、先ず、受信通知待ちキューから最も若い番号のＲＳを取り出し（ステップＳ６０１）、ＳＳ＝（ＲＳ＋１）とした後（ステップＳ６０２）、受信通知を行う（ステップＳ６０３）。次に、受信通知待ちキューのＲＳを検索して（ステップＳ６０４）、ＳＳと一致するＲＳが存在すると判断した場合にはステップＳ６０２に戻る。ステップＳ６０４において、ＳＳと一致するＲＳが存在しないと判断した場合には、ＳＳとＮＳ１及びＮＳ２の大小関係を比較する（ステップＳ６０５）。ステップＳ６０５において、ＳＳがＮＳ１よりも小さく且つＳＳがＮＳ２よりも小さいと判断した場合は、更に両リンク♯１、♯２で同一パケットを紛失している場合であり、ステップＳ６０１に戻る。一方、ステップＳ６０５において、ＳＳがＮＳ１以上又はＳＳがＮＳ２以上と判断した場合には、両リンク紛失処理を終了する。
【００４９】
サーバ１０６が、ＰＨＳ用携帯端末装置１０１から前記リンク♯２経由でデータを受信した場合の処理は、図３〜図６におけるＮＳ１をＮＳ２と読換えた処理が行われる。
【００５０】
以上のように、本第１の実施の形態によれば、ＰＨＳ用携帯端末装置１０１から複数のリンク♯１、♯２を用いてコンピュータ１０９にデータ送信するようにしている。したがって、一方のリンクのデータが欠落したような場合でも、他方のリンクのデータを送信することが可能であるため、高品質なデータ通信を行うことが可能になる。また、この場合、再送制御を行う必要がないため、高速なデータ通信が可能になる。
【００５１】
図７は、本発明の第２の実施の形態に係るＰＨＳ用携帯端末装置１０１の処理を示すフローチャートで、制御部１０３の前記ＲＯＭに記憶されたプログラムを前記ＣＰＵで処理することにより実行される。本第２の実施の形態のシステム構成図は図１と同一であるため、以下、図１及び図７を用いて本第２の実施の形態について説明する。
【００５２】
先ず初期状態として、ＰＨＳ用携帯端末装置１０１は基地局１０４に対してデータを送信している状態にあるものとする。この状態で、制御部１０３は、ハンドオーバが必要か否かを判断する（ステップＳ７０１）。例えば、ＲＳＳＩ値が所定値以下になった場合、あるいは、ＦＥＲ値が所定値以上になった場合に、ハンドオーバが必要と判断する。尚、ステップＳ７０１は、ハンドオーバの必要性を判断するハンドオーバ判断手段を構成している。ステップ７０１において、ハンドオーバが必要と判断した場合には、ハンドオーバ処理を行う前に、基地局１０５に呼接続して、複数の基地局（基地局１０４及び基地局１０５）に接続する（ステップＳ７０２）。ここで、ステップＳ７０２は、複数の基地局に接続する基地局接続手段を構成している。
【００５３】
一方、ステップ７０１において、ハンドオーバが不要と判断した場合には、通信状態が劣化しているか否かを判断する（ステップＳ７０３）。例えば、通信エラーが所定頻度以上で生じる場合（再送制御が所定頻度以上で行われる場合）には通信状態が劣化していると判断する。ここで、ステップＳ７０３は、通信状態の劣化を検出する通信状態検出手段を構成している。ステップＳ７０３において、通信状態が劣化していると判断した場合には、ステップＳ７０２に移行し、通信状態が劣化していないと判断した場合には、ステップＳ７０１に戻る。
【００５４】
ステップＳ７０２において基地局１０４及び基地局１０５に呼接続した後、該複数の基地局（基地局１０４及び基地局１０５）に同一のデータを送信する（ステップＳ７０４）。ここで、ステップＳ７０４は、複数の基地局に対して同一のデータを送信する通信手段を構成している。この状態でハンドオーバ処理を行って、基地局１０５にハンドオーバする（ステップＳ７０５）。ここで、ステップＳ７０５は、ハンドオーバ処理を行うハンドオーバ処理手段を構成している。前記の如くしてハンドオーバが完了すると、サーバ１０６は基地局１０５からのデータをコンピュータ１０９に送信するようになる。
【００５５】
これにより、ハンドオーバする際の過渡期や、通信状態が劣化した場合でも、データが欠落することを防止できる。
【００５６】
図８は、本発明の第３の実施の形態に係るＰＨＳ用携帯端末装置１０１の処理を示すフローチャートで、制御部１０３の前記ＲＯＭに記憶されたプログラムを前記ＣＰＵで処理することにより実行される。本第３の実施の形態のシステム構成図は図１と同一であるため、以下、図１及び図８を用いて本第３の実施の形態について説明する。
【００５７】
先ず初期状態として、ＰＨＳ用携帯端末装置１０１は基地局１０４に対してデータを送信している状態にあるものとする。この状態で、制御部１０３は、ハンドオーバが必要か否かを判断する（ステップＳ８０１）。例えば、ＲＳＳＩ値が所定値以下になった場合、あるいは、ＦＥＲ値が所定値以上になった場合に、ハンドオーバが必要と判断する。尚、ステップＳ８０１は、ハンドオーバの必要性を判断するハンドオーバ判断手段を構成している。ステップ８０１において、ハンドオーバが必要と判断した場合には、ハンドオーバ処理を行う前に、基地局１０４に送信するデータのパケット長を短くして送信する（ステップＳ８０２）。
【００５８】
その後、ハンドオーバ処理を行って、他の基地局、例えば基地局１０５に呼を接続してハンドオーバ処理を完了する（ステップＳ８０３）。ここで、ステップＳ８０３は、ハンドオーバ処理を行うハンドオーバ処理手段を構成している。これにより、ハンドオーバする際にデータ欠落が生じたとしても、パケット長の短いデータの欠落が生じるのみであり、再送制御も短時間で行うことが可能になる。
【００５９】
図９は、本発明の第４の実施の形態に係るＰＨＳ用携帯端末装置１０１の処理を示すフローチャートで、制御部１０３の前記ＲＯＭに記憶されたプログラムを前記ＣＰＵで処理することにより実行される。本第４の実施の形態のシステム構成図は図１と同一であるため、以下、図１及び図９を用いて本第４の実施の形態について説明する。
【００６０】
先ず初期状態として、ＰＨＳ用携帯端末装置１０１は基地局１０４に対してデータを送信している状態にあるものとする。この状態で、制御部１０３は、ハンドオーバが必要か否かを判断する（ステップＳ９０１）。例えば、ＲＳＳＩ値が所定値以下になった場合、あるいは、ＦＥＲ値が所定値以上になった場合に、ハンドオーバが必要と判断する。尚、ステップＳ９０１は、ハンドオーバの必要性を判断するハンドオーバ判断手段を構成している。ステップ９０１において、ハンドオーバが必要と判断した場合には、ハンドオーバ処理を行う前に、基地局１０４へのデータ送信を停止する（ステップＳ９０２）。
【００６１】
一方、基地局１０４は、ＰＨＳ用携帯端末装置１０１から受信したデータ全てをサーバ１０６に送信完了すると、前記受信したデータ全てをサーバ１０６に送信完了した旨を表すデータ送信完了通知をＰＨＳ用携帯端末装置１０１に送信する。
【００６２】
ＰＨＳ用携帯端末装置１０１は、基地局１０４から前記データ送信完了通知を受信したか否かを判断して（ステップＳ９０３）、受信していなければ再びステップＳ９０３を繰り返し、受信した場合には他の基地局へのハンドオーバ処理を実行する（ステップＳ９０４）。ここで、ステップＳ９０３は、接続した基地局に送信したデータが、全てサーバ１０６に送信されたことを検出するデータ送信完了検出手段を構成している。前記データ送信完了検出手段は、ステップＳ９０１によってハンドオーバが必要と判断された後に、所定時間（全てのデータがサーバ１０６に送信されと予想される時間）経過したことを検出することにより、全てのデータがサーバ１０６に送信されたとするように処理してもよい。ステップＳ９０４はハンドオーバ処理を行うハンドオーバ処理手段を構成している。
【００６３】
前記他の基地局へのハンドオーバが完了した後（ステップＳ９０５）、前記他の基地局に対してデータ送信を開始する（ステップＳ９０６）。尚、ステップＳ９０２、Ｓ９０６は、通信手段のデータ送信動作を制御するデータ送信制御手段を構成している。
【００６４】
これにより、前記他の基地局にハンドオーバした後に、基地局１０４に送信したデータを再度送信する必要はなくなるため、高速なデータ伝送が可能になる。また、ハンドオーバ時にデータが紛失するような自体の発生を防止できるため、高品質なデータ通信が可能になる。
【００６５】
以上述べたように本発明の実施の形態に係るＰＨＳにおけるデータ通信方法は、ＰＨＳ用携帯端末装置と基地局との間で無線通信を行うことにより、前記ＰＨＳ用携帯端末装置から所望の相手先にデータを送信するようにしたＰＨＳにおいて、ＰＨＳ用携帯端末装置１０１を複数の基地局１０４、１０５に接続し、ＰＨＳ用携帯端末装置１０１から各基地局１０４、１０５に対して同一のデータを送信し、各基地局１０４、１０５で受信したデータをサーバ１０６でまとめて受信し、各基地局１０４、１０５から受信したデータの中の正常な一のデータを相手先コンピュータ１０９に送信するようにしている。即ち、ＰＨＳ用携帯端末装置１０１から複数のリンク♯１、♯２を用いてコンピュータ１０９にデータ送信するようにしている。したがって、一方のリンクのデータが欠落したような場合でも、他方のリンクのデータを送信することが可能であるため、高品質なデータ通信を行うことが可能になり又、この場合、再送制御を行う必要がないため、高速なデータ通信が可能になる。
【００６６】
ここで、ＰＨＳ用携帯端末装置１０１でハンドオーバの必要性が生じたと判断したときに、ハンドオーバ処理を行う前にＰＨＳ用携帯端末装置１０１を複数の基地局１０４、１０５に接続し、ＰＨＳ用携帯端末装置１０１から前記接続した複数の基地局１０４、１０５に同一のデータを送信することにより、ハンドオーバ時のデータ欠落等を抑制することが可能になる。
【００６７】
また、ＰＨＳ用携帯端末装置１０１で通信状態の劣化を検出したとき、ＰＨＳ用携帯端末装置１０１を複数の基地局１０４、１０５に接続し、ＰＨＳ用携帯端末装置１０１から前記接続した複数の基地局１０４、１０５に同一のデータを送信することにより、通信状態の劣化時にもデータの欠落等を抑制することが可能になる。
【００６８】
また、ＰＨＳ用携帯端末装置１０１が一の基地局から他の基地局にハンドーオーバするに際して、ＰＨＳ用携帯端末装置１０１は、ハンドオーバの必要性が生じたと判断したときに、前記一の基地局に送信するデータのパケット長を短くすることにより、ハンドオーバ時に生じるデータ欠落等の障害を小さく抑制することが可能になる。
【００６９】
また、ＰＨＳ用携帯端末装置１０１から一の基地局にデータを送信し、前記一の基地局で受信したデータをサーバ１０６に送信し、サーバ１０６で受信したデータを相手先コンピュータ１０９に送信し、ＰＨＳ用携帯端末装置１０１が前記一の基地局から他の基地局にハンドオーバするに際して、前記一の基地局で受信したデータが全てサーバ１０６に送信された後、ハンドオーバすることにより、ハンドオーバ後に同一のデータを再送する必要が無くなり、高速なデータ通信を行うことが可能になる。
【００７０】
また、本発明の実施の形態に係るＰＨＳ用携帯端末装置は、基地局との間で無線通信を行うことにより所望の相手先にデータを送信するようにしたＰＨＳ用携帯端末装置において、複数の前記基地局に接続する基地局接続手段と、前記各基地局に対して同一のデータを送信する通信手段とを備えている。即ち、複数のリンク♯１、♯２を用いてデータ送信する機能を備えている。したがって、一方のリンクのデータが欠落したような場合でも、他方のリンクのデータを送信することが可能であるため、高品質なデータ通信を行うことが可能になり又、この場合、再送制御を行う必要がないため、高速なデータ通信が可能になる。
【００７１】
ここで、ハンドオーバの必要性を判断するハンドオーバ判断手段と、ハンドオーバ処理を行うハンドオーバ処理手段とを有し、前記ハンドオーバ判断手段によってハンドオーバの必要性が生じたと判断したとき、前記基地局接続手段は、前記ハンドオーバ処理手段がハンドオーバ処理を行う前に、複数の前記基地局に接続するように構成することにより、ハンドオーバ処理時のデータ欠落等の障害を小さく抑制することが可能になる。
【００７２】
また、通信状態の劣化を検出する通信状態検出手段を有し、前記通信状態検出手段によって通信状態が劣化したと検出したとき、前記基地局接続手段は複数の前記基地局に接続するように構成することにより、通信障害時のデータ欠落等の障害を小さく抑制することが可能になる。
【００７３】
また、パケット単位でデータを送信する通信手段と、ハンドオーバの必要性を判断するハンドオーバ判断手段と、ハンドオーバ処理を行うハンドオーバ処理手段とを有し、前記ハンドオーバ判断手段によってハンドオーバの必要性が生じたと判断したとき、前記通信手段は、前記ハンドオーバ処理手段がハンドオーバ処理を行う前に、データのパケット長を短くして前記基地局に送信するように構成することにより、ハンドオーバ時に生じるデータ欠落等の障害を小さく抑制することが可能になる。
【００７４】
また、接続した前記基地局に対してデータを送信する通信手段と、ハンドオーバの必要性を判断するハンドオーバ判断手段と、ハンドオーバ処理を行うハンドオーバ処理手段と、前記通信手段のデータ送信動作を制御するデータ送信制御手段と、前記接続した基地局に送信したデータが全てＰＨＳ用接続手段に送信されたことを検出するデータ送信完了検出手段とを備え、前記データ送信制御手段は、前記ハンドオーバ判断手段によってハンドオーバの必要性が生じたと判断したとき前記通信手段がデータ送信を停止するように制御し、前記ハンドオーバ処理手段は、前記データ送信完了検出手段によって前記基地局に送信したデータが全て前記ＰＨＳ用接続手段に送信されたことを検出した後にハンドオーバ処理を行い、前記データ送信制御手段は、前記ハンドオーバ処理手段によるハンドオーバ処理が完了した後に、前記通信手段がデータ送信を開始するように制御するように構成することにより、ハンドオーバ後に同一のデータを再送する必要が無くなり、高速なデータ通信を行うことが可能になる。
【００７５】
尚、各基地局１０４、１０５からＰＨＳ用接続手段へのデータ伝送は、無線フレーム単位で行ってもよく、又、複数の前記無線フレームをまとめたユニット単位（例えばＰＩＡＦ）で行うようにしてもよい。
【００７６】
また、ＰＨＳ用携帯端末装置としては、ＰＨＳ電話機やＰＨＳ内蔵カード等、ＰＨＳに使用する各種の携帯端末装置に適用可能である。
【産業上の利用可能性】
【００７７】
本発明に係るＰＨＳにおけるデータ通信方法およびＰＨＳ用通信端末装置によれば、高速で高品質なデータ通信が可能になる。また、ハンドオーバが発生した場合や、通信状態が劣化した場合にも、高速で高品質なデータ通信が可能になる。
【図面の簡単な説明】
【００７８】
【図１】本発明の実施の形態に使用するＰＨＳのシステム構成図である。
【図２】本発明の第１の実施の形態におけるデータの流れを示す図である。
【図３】本発明の第１の実施の形態における処理を示す示すフローチャートでる。
【図４】本発明の第１の実施の形態における処理を示す示すフローチャートでる。
【図５】本発明の第１の実施の形態における処理を示す示すフローチャートでる。
【図６】本発明の第１の実施の形態における処理を示す示すフローチャートでる。
【図７】本発明の第２の実施の形態における処理を示す示すフローチャートでる。
【図８】本発明の第３の実施の形態における処理を示す示すフローチャートでる。
【図９】本発明の第４の実施の形態における処理を示す示すフローチャートでる。
【符号の説明】
【００７９】
１０１・・・ＰＨＳ用携帯端末装置
１０２・・・無線部
１０３・・・制御部
１０４、１０５・・・基地局
１０６・・・サーバ
１０７・・・インターネット
１０８・・・Ｗｅｂサーバ
１０９・・・相手先コンピュータ
【図１】
2006067609.tif 000003
【図２】
2006067609.tif 000004
【図３】
2006067609.tif 000005
【図４】
2006067609.tif 000006
【図５】
2006067609.tif 000007
【図６】
2006067609.tif 000008
【図７】
2006067609.tif 000009
【図８】
2006067609.tif 000010
【図９】
2006067609.tif 000011